(57)【要約】【課題】同一種類の間隔保持材で厚さの異なる複数種類の縦格子を安定に保持可能な構造を有する防護柵を提供する。【解決手段】防護柵１は胴縁２０と両胴縁２０を連結する縦格子パネル３０とを有する。胴縁２０は全長に亘って延びるスリット２１ｓと、スリット２１ｓの両縁から内側に向かって逆くさび状に拡開した縦格子パネル支持部２２とを有する。縦格子パネル３０は胴縁２０の長手方向に並設される縦格子３１と縦格子３１の並び間隔を等間隔に保持する間隔保持材３２とを有する。間隔保持材３２は縦格子３１の端部と互いに連結された縦格子保持部３２ａと縦格子パネル支持部２２にくさび状に係合する胴縁係合部３２ｂとを有する。胴縁２０の端部の厚さが異なる場合でも、逆くさび状の縦格子パネル支持部とくさび状の胴縁係合部３２ｂとの互いの係合の度合いがくさび機能によって変化することによって当該厚さの差分を吸収し、胴縁２０と縦格子３１との間のガタ付きを防止する。【選択図】図１
2015014117.tif 000002
【特許請求の範囲】
【請求項１】
上下一対の胴縁と、両胴縁を連結する縦格子パネルと、を有し、
前記胴縁は、
その長手方向に全長に亘って延びる一定幅のスリットを有する筒状体であり、当該スリットの両縁から内側に向かって逆くさび状に拡開した縦格子パネル支持部を有しており、
両胴縁が互いのスリット同士を対向させて互いに平行に配置されており、
前記縦格子パネルは、
前記胴縁の長手方向に並設される複数の縦格子と、
当該縦格子の並び間隔を等間隔に保持するとともに、当該縦格子を互いに平行な姿勢に保ちつつ前記スリットの延びる方向に回動可能に保持する間隔保持材と、を有し、
前記間隔保持材は、
前記縦格子の端部と互いに連結された縦格子保持部と、
前記縦格子パネル支持部にくさび状に係合する胴縁係合部と、を有することを特徴とする防護柵。
【請求項２】
前記縦格子パネル支持部は、
前記スリットの幅方向中心に関して対称に配置され、
前記胴縁係合部は、
前記縦格子の端部の厚さ方向中心に関して対称に配置されている、請求項１記載の防護柵。
【請求項３】
前記間隔保持材は、
上下に延びる縦格子保持部と、当該縦格子保持部の一方の長縁部から折り曲げられて斜めに延びる前記胴縁係合部とを有し、
互いの縦格子保持部を背中合わせにした姿勢で、前記縦格子の端部を挟んで設けられている、請求項１又は２記載の防護柵。
【請求項４】
前記間隔保持材が平面視千鳥状に配置されている、請求項３記載の防護柵。
【請求項５】
前記縦格子の端部を挟む一方の側には、前記胴縁の略全長に亘って延びる間隔保持材が設けられ、他方の側には、当該間隔保持材よりも短寸の複数の間隔保持材が互いに間隔をおいて並設されている、請求項３記載の防護柵。
【請求項６】
前記胴縁の両端部が支柱に固定されている、請求項１乃至５のいずれか１項記載の防護柵。
【発明の詳細な説明】
【技術分野】
【０００１】
本発明は、歩道と道路との境界や敷地境界等に設置される防護柵であって、特に勾配のある場所への設置に適した防護柵に関するものである。
【背景技術】
【０００２】
図１２（Ａ）、（Ｂ）には、従来の防護柵の断面構造が例示されている。この従来の防護柵５０は、上下一対の胴縁５１と、両胴縁５１間を連結する縦格子パネル５２と、を備えている。胴縁５１にはその全長に亘ってスリット５１ｓが形成されている。胴縁５１は金属板を曲げ加工してスリット５１ｓを有する筒状体を形成するとともに、その金属板の曲げ方向両端部を互いに平行に筒状体の内側に屈曲させて縦格子パネル支持部５３を形成してなる。縦格子パネル５２は、胴縁５１の長手方向（紙面に対し垂直方向）に並設される複数本の縦格子５４と、隣り合う縦格子５４同士の間隔を等間隔に保持する間隔保持材５５とを有している。縦格子５４の上下両端には扁平部５４ａが形成され、各扁平部５４ａにリベット挿通孔５４ｂが形成されている。間隔保持材５４ｂは、細長い金属板を曲げ加工することにより、その長手方向に対し直交する断面形状がＬ字形をなすように成型された部材であり、縦部５５ａと横部５５ｂとを有している。間隔保持材５５は、互いの縦部５５ａを背中合わせにした姿勢で、縦格子５４の扁平部５４ａを挟むようにして、縦格子パネル５２の上端と下端に２本ずつ設けられている。間隔保持材５５の縦部５５ａには、その長手方向に等間隔に複数のリベット挿通孔５５ｃが形成されている。間隔保持材５５と縦格子５４は、互いのリベット挿通孔５５ｃ、５４ｂが連通するように重ね合わせた状態で、両リベット挿通孔５５ｃ、５４ｂにリベット６５を挿通してかしめることにより互いに回動可能に連結されている。胴縁５１の縦格子パネル５２への取り付けは、間隔保持材５５を胴縁５１内にスライドさせて挿入することによりなされる。
【発明の概要】
【発明が解決しようとする課題】
【０００３】
しかし、上述した従来の防護柵では、図１２（Ａ）、（Ｂ）の例のように胴縁５１のスリット５１ｓの間隔よりも縦格子５４の扁平部５４ａの厚さが小さい場合、スリット５１ｓの両側に形成された縦格子パネル支持部５３と縦格子５４の扁平部５４ａとの間に隙間ｄ１、ｄ２が生じ、胴縁５１と縦格子５４との間にガタ付きが生じる原因となる。このガタ付きを防止するために、図１２（Ａ）、（Ｂ）の例では、胴縁５１と縦格子５４との隙間ｄ１、ｄ２方向への相対変位を間隔保持材５５によって規制しているが、縦格子５４の扁平部５４ａの厚さによって横部５５ｂの寸法Ｌ１、Ｌ２の異なる複数種類の間隔保持材５５を使用する必要がある。
【０００４】
また、縦格子パネル５２は、間隔保持材５５の横部５５ｂを胴縁５１に形成された縦格子パネル支持部５３の端部に載せた状態で支持されるのみのため、製品誤差や施工誤差等により縦格子パネル５２と胴縁スリット５３ｓとの間に位置ずれが生じ、美観の低下や強度上の不安感を歩行者等に与えていた。
【０００５】
本発明が解決しようとする課題は、縦格子の端部の厚さによらず、同一種類の間隔保持材を使用して上下の胴縁間に縦格子を安定かつ強固に保持可能な構造を有する防護柵を提供することにある。
【課題を解決するための手段】
【０００６】
上記課題を解決するために、本発明の防護柵は、
上下一対の胴縁と、両胴縁を連結する縦格子パネルと、を有し、
前記胴縁は、
その長手方向に全長に亘って延びる一定幅のスリットを有する筒状体であり、当該スリットの両縁から内側に向かって逆くさび状に拡開した縦格子パネル支持部を有しており、
両胴縁が互いのスリット同士を対向させて互いに平行に配置されており、
前記縦格子パネルは、
前記胴縁の長手方向に並設される複数の縦格子と、
当該縦格子の並び間隔を等間隔に保持するとともに、当該縦格子を互いに平行な姿勢に保ちつつ前記スリットの延びる方向に回動可能に保持する間隔保持材と、を有し、
前記間隔保持材は、
前記縦格子の端部と互いに連結された縦格子保持部と、
前記縦格子パネル支持部にくさび状に係合する胴縁係合部と、を有していることを特徴としている。
【０００７】
上記構成によれば、縦格子パネルの間隔保持材が胴縁の縦格子パネル支持部にくさび状に係合するため、縦格子の端部の厚さによらず、同一種類の間隔保持材を使用して上下の胴縁間に縦格子を安定かつ強固に保持可能である。すなわち、防護柵によって使用する縦格子の端部の厚さが異なる場合でも、逆くさび状に形成された縦格子パネル支持部とくさび状に形成された間隔保持材の係合部との互いの係合の度合いがくさび機能によって変化することによって当該厚さの差分を吸収し、胴縁と縦格子との間のガタ付きを防止できる。
【０００８】
また、縦格子パネルの自重により、間隔保持材の係合部が胴縁の支持部に押圧され、くさび機能がより発揮されるため、ボルトなどの特別な手段を用いずに全体的な剛性を向上することができる。
【０００９】
本発明の防護柵において、
前記縦格子パネル支持部は、
前記スリットの幅方向中心に関して対称に配置され、
前記係合部は、
前記縦格子の端部の厚さ方向中心に関して対称に配置されていることが望ましい。
【００１０】
上記構成によれば、縦格子パネルの間隔保持材が胴縁の縦格子パネル支持部にくさび状に係合することにより、何ら調整作業を要することなく、全ての縦格子がスリットの幅方向中心に配置される。
【００１１】
本発明の防護柵において、
前記間隔保持材は、
上下に延びる縦格子保持部と、当該縦格子保持部の一方の長縁部から折り曲げられて斜めに延びる前記胴縁係合部とを有し、
互いに対を成す間隔保持材が、互いの縦格子保持部を背中合わせにした姿勢で、前記縦格子の端部を挟んで設けられていることが望ましい。
【００１２】
前記間隔保持材は、平面視千鳥状に配置されてもよい。
【００１３】
また、前記縦格子の端部を挟む一方の側に、前記胴縁の略全長に亘って延びる間隔保持材を設け、他方の側に、当該間隔保持材よりも短寸の複数の間隔保持材を互いに間隔をおいて設けてもよい。
【発明の効果】
【００１４】
本発明によれば、縦格子パネルの間隔保持材が胴縁の縦格子パネル支持部にくさび状に係合する構造を採用したことにより、縦格子の端部の厚さによらず、同一種類の間隔保持材を使用して上下の胴縁間に縦格子を安定に保持可能な防護柵を提供することができる。
【図面の簡単な説明】
【００１５】
【図１】本発明の防護柵の実施形態の要部正面図
【図２】（Ａ）：縦格子の要部正面図  （Ｂ）：縦格子の要部側面図
【図３】（Ａ）：間隔保持材の正面図  （Ｂ）：間隔保持材の一部省略側面図
【図４】胴縁の正面図
【図５】胴縁の縦格子パネルへの取り付け方法を示す要部斜視図
【図６】胴縁が縦格子パネルに取り付けられた状態を示す断面図
【図７】本発明の防護柵を設置した状態を例示する概略正面図
【図８】図７のＡ−Ａ断面図
【図９】（Ａ）：縦格子の扁平部の厚さがＴ１の場合の本発明の防護柵の形態例を示す要部正面図  （Ｂ）：縦格子の扁平部の厚さがＴ２（Ｔ２＞Ｔ１）の場合の本発明の防護柵の形態例を示す要部正面図
【図１０】（Ａ）：縦格子パネルの別の形態例を示す平面図  （Ｂ）：同縦格子パネルの側面図
【図１１】（Ａ）：縦格子パネルの更に別の形態例を示す平面図  （Ｂ）：同縦格子パネルの側面図
【図１２】（Ａ）：縦格子の扁平部の厚さがＴ１の場合の従来の防護柵の構造を例示する要部正面図  （Ｂ）：縦格子の扁平部の厚さがＴ２（Ｔ２＞Ｔ１）の場合の従来の防護柵の構造を例示する要部正面図
【発明を実施するための形態】
【００１６】
以下、本発明を実施するための最良の形態について説明する。
【００１７】
図１は本発明の防護柵の実施形態を示す要部正面図である。図７は本発明の防護柵を設置した状態を例示する概略正面図である。
【００１８】
図７に示すように、防護柵１は、適宜間隔をおいて地表Ｅに立設された支柱１０と、隣り合う支柱１０間に掛け渡して設けられた上下一対の胴縁２０と、上下の胴縁２０を連結する縦格子パネル３０と、を有している。
【００１９】
図１に示すように、胴縁２０は、金属板を曲げ加工して一定幅のスリット２１ｓを有する円筒体を形成するとともに、その金属板の曲げ方向両端部を内側に屈曲させて縦格子パネル支持部２２を形成してなる。縦格子パネル支持部２２は、スリット２１ｓの幅方向中心に関して対称になるように、スリット２１ｓの両縁から胴縁２０の内側に向かって逆くさび状に拡開している。縦格子パネル支持部２２の角度（鉛直軸に対する角度）θ１（図４参照）は、３０〜５０度の範囲、より好ましくは４０〜５０度の範囲から選ばれる。胴縁２０の両端近傍の上下方向中央部両側には、支柱１０への取り付け時に使用されるボルト挿通孔２３（図４参照）が形成されている。
【００２０】
縦格子パネル３０は、胴縁２０の長手方向（図１の紙面に対し垂直方向）に並設される複数本の縦格子３１と、隣り合う縦格子３１同士の間隔を等間隔に保持する間隔保持材３２とを有している。
【００２１】
縦格子３１は、金属製の円筒体である。縦格子３１には、押し潰し加工により扁平部（間隔保持材連結部）３１ａが形成され、各扁平部３１ａには、リベット挿通孔３１ｂが形成されている（図２参照）。
【００２２】
間隔保持材３２は、細長い金属板を曲げ加工することにより、その長手方向に対し直交する断面形状がレ字形をなすように成型された部材であり（図３参照）、上下に延びる縦格子保持部３２ａと、縦格子保持部３２ａの一方の長縁部から折り曲げられて斜めに延びる胴縁係合部３２ｂとを有している。縦格子保持部３２ａに対する胴縁係合部３２ｂの角度（鉛直軸に対する角度）θ２（図３（Ａ）参照）は、３０〜５０度の範囲、より好ましくは４０〜５０度の範囲から選ばれる。
【００２３】
間隔保持材３２は、互いの縦格子保持部３２ａを背中合わせにした姿勢で、縦格子３１の扁平部３１ａを挟んで、縦格子パネル３０の上端と下端にそれぞれ２本ずつ、合計４本設けられている。これら４本の間隔保持材３２は、いずれも同形同寸であり、全長寸法は胴縁２０の全長よりも若干短めに選定されている。上下の間隔保持材３２の胴縁係合部３２ｂは互いに対向している。同形同寸の間隔保持材３２が、互いの縦格子保持部３２ａを背中合わせにした姿勢で、縦格子３１の扁平部３１ａを挟んで配置されることにより、各間隔保持材３２の対における２つの胴縁係合部３２ｂが縦格子３１の扁平部３１ａの厚さ方向中心に関して対称に配置される。
【００２４】
間隔保持材３２の縦格子保持部３２ａには、その長手方向に等間隔に複数のリベット挿通孔３２ｃが形成されている。リベット挿通孔３２ｃは、間隔保持材３２の両端から離れた位置に形成されている。間隔保持材３２と縦格子３１は、互いのリベット挿通孔３２ｃ、３１ｂが連通するように重ね合わせた状態で、両リベット挿通孔３２ｃ、３１ｂにリベット３３を挿通してかしめることにより互いに回動可能に連結されている。縦格子パネル３０は、その間隔保持材３２と縦格子３１とがリベット３３を軸として互いに回動可能であることにより、いわゆる平行リンク機構を構成している。
【００２５】
この防護柵１は、縦格子パネル３０の上下に胴縁２０を取り付けた後、上下の胴縁２０のそれぞれの両端部を支柱１０に固定することにより、歩道脇などに設置される。
【００２６】
胴縁２０の縦格子パネル３０への取り付けは、縦格子パネル３０に対して胴縁２０をスライドさせて、胴縁２０内に間隔保持材３２を挿入することによりなされる（図５、図６参照）。この時点で、間隔保持材３２の胴縁係合部３２ｂが胴縁２０の縦格子パネル支持部２２にくさび状に係合する。
【００２７】
胴縁２０の支柱１０への取り付けは、図８に例示するように、胴縁２０の端部を取付金具４０を介して支柱１０に連結することによりなされる。取付金具４０は、支柱１０の外面に嵌合する円弧状の支柱取付部４１と、支柱取付部４１から前後に延びる胴縁連結部４２とを有し、２つ一組で支柱１０を抱き込むように配置される。胴縁連結部４２にはボルト挿通孔４２ａが形成されている。胴縁２０の端部を一組の取付金具４０の胴縁連結部４２の間に配置し、両者のボルト挿通孔４２ａ、２３にボルト４３を挿通し、ナット４４を取り付けて締着することにより、胴縁２０の端部が支柱１０に固定される。
【００２８】
上記のように構成された防護柵１は、縦格子パネル３０の間隔保持材３２の胴縁係合部３２ｂが胴縁２０の縦格子パネル支持部２２にくさび状に係合するため、縦格子３１の扁平部３１ａの厚さによらず、同一種類の間隔保持材３２を使用して上下の胴縁２０間に縦格子３１を安定に保持可能である。すなわち、図９（Ａ）、（Ｂ）に例示するように、縦格子３１の扁平部３１ａの厚さＴ１、Ｔ２が異なる場合でも、逆くさび状に形成された縦格子パネル支持部２２とくさび状に形成された間隔保持材３２の胴縁係合部３２ｂとの互いの係合の度合いがくさび機能によって変化することによって当該厚さＴ１、Ｔ２の差分（Ｔ２−Ｔ１）を吸収し、胴縁２０と縦格子３１との間のガタ付きを防止できる。
【００２９】
さらに、この防護柵１は、縦格子パネル支持部２２が胴縁２０のスリット２１ｓの幅方向中心に関して対称に形成され、間隔保持材３２の胴縁係合部３２ｂが縦格子３１の扁平部３１ａの厚さ方向中心に関して対称に形成されているため、胴縁係合部３２ｂと縦格子パネル支持部２２とがくさび状に係合することにより、何ら調整作業を要することなく、全ての縦格子３１がスリット２１ｓの幅方向中心に配置される。
【００３０】
また、間隔保持材３２の両端から離れた位置にリベット挿通孔３２ｃが形成されていることにより、間隔保持材３２の両端が縦格子３１よりも外側に位置している。この構造により、胴縁２０への間隔保持材３２の挿入作業時における縦格子３１の引っ掛かりをなくし、作業性を向上できる。
【００３１】
本発明の構成は上記実施形態の構成に限定されるものではない。
たとえば、上記実施形態では、間隔保持材３２として、胴縁２０の全長寸法とほぼ同寸（若干短寸）のものが縦格子パネル３０の上端と下端にそれぞれ２本ずつ設けられているが、図１０に例示するように、各間隔保持材３４の全長寸法を胴縁２０の全長寸法よりも可成り小さくし、複数の間隔保持材３４を平面視千鳥状に配置することにより、全体として上記実施形態の間隔保持材３２の全長寸法とほぼ同寸にすることも可能である。また、図１１に例示するように、一方の側のみ上記実施形態の間隔保持材３２を配置し、もう一方の側には上記実施形態の間隔保持材３２よりも短寸の間隔保持材３５を間欠的に配置するようにしてもよい。図１０及び図１１に例示する構成によれば、上記実施形態の構成と比較して、縦格子パネル３０に使用する間隔保持材の総重量を軽減することができる。図１０及び図１１に例示する構成においても、胴縁２０の縦格子３１の並び方向から見たときに、間隔保持材の胴縁係合部が縦格子３１の扁平部３１ａの厚さ方向中心に関して対称に配置され、これが胴縁２０の縦格子パネル支持部２２にくさび状に係合するため、胴縁２０と間隔保持材との間のガタ付きを防止し、縦格子３１を安定に保持することができる。
【００３２】
また、縦格子パネル支持部２２の角度θ１及び胴縁係合部３２ｂの角度θ２は、両角度θ１、θ２の合計角度（θ１＋θ２）が９０度以下になる範囲で、一方の角度をより大きく選定し、他方の角度をより小さく選定することが可能である。これらの角度θ１、θ２を適切に選定することにより、縦格子パネル支持部２２と胴縁係合部３２ｂとの係合状態の安定性を確保しつつ、胴縁２０及び間隔保持材３２の耐荷重性を高めることができる。
【符号の説明】
【００３３】
１  防護柵
１０  支柱
２０  胴縁
２１ｓ  スリット
２２  縦格子パネル支持部
３０  縦格子パネル
３１  縦格子
３１ａ  扁平部（間隔保持材連結部）
３２  間隔保持材
３２ａ  縦格子保持部
３２ｂ  胴縁係合部
３４  間隔保持材
３５  間隔保持材
【図１】
2015014117.tif 000003
【図２】
2015014117.tif 000004
【図３】
2015014117.tif 000005
【図４】
2015014117.tif 000006
【図５】
2015014117.tif 000007
【図６】
2015014117.tif 000008
【図７】
2015014117.tif 000009
【図８】
2015014117.tif 000010
【図９】
2015014117.tif 000011
【図１０】
2015014117.tif 000012
【図１１】
2015014117.tif 000013
【図１２】
2015014117.tif 000014